(57)【要約】【課題】  この発明は、複数のチューナで、同一周波数チャンネルに含まれる番組を同時に受信する場合に起こるリンギングを防止することを目的としている。また、リンギングを防止しながら、複数の同一周波数チャンネルに含まれる番組の受信を安定的に受信できることを目的とする。【解決手段】  第１および第２のチューナ部（２４、２９）と、第１のチューナ部で選択されたチャンネルから第１のストリーム信号を抽出する第１のストリーム信号抽出部（２５）と、第２のチューナ部で選択されたチャンネルから第２のストリーム信号を抽出する第２のストリーム信号抽出部（３０）と、第１のチューナ部と第２のチューナ部でチューニングされるチャンネルの周波数が同一の場合に、第１のストリーム信号を分配して出力する分配制御部（２６）と、ストリーム分配信号をデコードして映像信号を出力するデコード手段（２７、３１）を備えるように構成している。【選択図】    図２
2007088976.tif 000002
【特許請求の範囲】
【請求項１】
デジタル放送を受信するデジタル放送受信装置において、
周波数をチューニングすることによってデジタル放送の所定チャンネルを選択して受信する第１および第２のチューナ部と、
前記第１のチューナ部で選択されたデジタル放送の所定チャンネルから番組を含む第１のストリーム信号を抽出して出力する第１のストリーム信号抽出部と、
前記第２のチューナ部で選択されたデジタル放送の所定チャンネルから番組を含む第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる番組の１つをデコードして映像信号を出力する第１のデコード手段と、
前記第２のストリーム分配信号に含まれる番組の１つをデコードして映像信号を出力する第２のデコード手段を備えることを特徴とするデジタル放送受信装置。
【請求項２】
デジタル放送を受信するデジタル放送受信装置において、
アナログ信号の性質を利用して周波数をチューニングすることによってデジタル放送の所定チャンネルを選択して受信する第１および第２のチューナ部と、
前記第１のチューナ部で選択されたデジタル放送の所定チャンネルから番組を含むデジタル化された第１のストリーム信号を抽出して出力する第１のストリーム信号抽出部と、
前記第２のチューナ部で選択されたデジタル放送の所定チャンネルから番組を含むデジタル化された第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる番組の１つをデコードして映像信号を出力する第１のデコード手段と、
前記第２のストリーム分配信号に含まれる番組の１つをデコードして映像信号を出力する第２のデコード手段を備えることを特徴とするデジタル放送受信装置。
【請求項３】
デジタル放送を受信するデジタル放送受信装置において、
周波数をチューニングすることによってデジタル放送の所定チャンネルを選択して受信する第１および第２のチューナ部と、
前記第１のチューナ部で選択されたデジタル放送の所定チャンネルから複数の番組を含む第１のストリーム信号を抽出して出力する第１のストリーム信号抽出部と、
前記第２のチューナ部で選択されたデジタル放送の所定チャンネルから複数の番組を含む第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる複数の番組の１つをデコードして映像信号を出力する第１のデコード手段と、
前記第２のストリーム分配信号に含まれる複数の番組の１つをデコードして映像信号を出力する第２のデコード手段を備えることを特徴とするデジタル放送受信装置。
【請求項４】
デジタル放送を受信するデジタル放送受信装置において、
周波数をチューニングすることによってデジタル放送の所定チャンネルを選択して受信する第１および第２のチューナ部と、
前記第１のチューナ部で選択されたデジタル放送の所定チャンネルから番組を含む第１のストリーム信号を抽出して出力する第１のストリーム信号抽出部と、
前記第２のチューナ部で選択されたデジタル放送の所定チャンネルから番組を含む第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる番組の１つおよび前記第２のストリーム分配信号に含まれる番組の１つをデコードして映像信号を出力するデコード手段を備えることを特徴とするデジタル放送受信装置。
【請求項５】
前記ストリーム信号分配制御部は前記第１のチューナ部でチューニングされる周波数チャンネルと前記第２のチューナ部でチューニングされる周波数チャンネルの周波数が同一または近い場合に、さらに第２のチューナ部と第２のストリーム信号抽出部の動作をOFFさせることを特徴とする請求項１乃至４に記載のデジタル放送受信装置。
【請求項６】
前記出力された映像信号を受信し表示する表示装置を備えることを特徴とする請求項１乃至５に記載のデジタル放送受信装置。
【請求項７】
第１および第２のチューナ部を用いて周波数をチューニングすることによってデジタル放送の所定チャンネルを選択して受信するステップと、
前記第１のチューナ部で選択されたデジタル放送の所定チャンネルから番組を含む第１のストリーム信号を抽出して出力するステップと、
前記第２のチューナ部で選択されたデジタル放送の所定チャンネルから番組を含む第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる番組の１つをデコードして映像信号を出力するステップと、
前記第２のストリーム分配信号に含まれる番組の１つをデコードして映像信号を出力するステップを備えることを特徴とするデジタル放送受信方法。
【請求項８】
第１および第２のチューナ部を用いてアナログ信号の性質を利用して周波数をチューニングすることによってデジタル放送の所定チャンネルを選択して受信するステップと、
前記第１のチューナ部で選択されたデジタル放送の所定チャンネルから番組を含むデジタル化された第１のストリーム信号を抽出して出力するステップと、
前記第２のチューナ部で選択されたデジタル放送の所定チャンネルから番組を含むデジタル化された第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる番組の１つをデコードして映像信号を出力するステップと、
前記第２のストリーム分配信号に含まれる番組の１つをデコードして映像信号を出力するステップを備えることを特徴とするデジタル放送受信方法。
【請求項９】
第１および第２のチューナ部を用いて周波数をチューニングすることによってデジタル放送の所定チャンネルを選択して受信するステップと、
前記第１のチューナ部で選択されたデジタル放送の所定チャンネルから複数の番組を含む第１のストリーム信号を抽出して出力するステップと、
前記第２のチューナ部で選択されたデジタル放送の所定チャンネルから複数の番組を含む第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる複数の番組の１つをデコードして映像信号を出力するステップと、
前記第２のストリーム分配信号に含まれる複数の番組の１つをデコードして映像信号を出力するステップを備えることを特徴とするデジタル放送受信方法。
【請求項１０】
第１および第２のチューナ部を用いて周波数をチューニングすることによってデジタル放送の所定チャンネルを選択して受信するステップと、
前記第１のチューナ部で選択されたデジタル放送の所定チャンネルから番組を含む第１のストリーム信号を抽出して出力するステップと、
前記第２のチューナ部で選択されたデジタル放送の所定チャンネルから番組を含む第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる番組の１つおよび前記第２のストリーム分配信号に含まれる番組の１つをデコードして映像信号を出力するステップを備えることを特徴とするデジタル放送受信方法。
【請求項１１】
前記第１のチューナ部でチューニングされる周波数チャンネルと前記第２のチューナ部でチューニングされる周波数チャンネルの周波数が同一または近い場合に、さらに第２のチューナ部と第２のストリーム信号抽出部の動作をOFFさせるステップを含むことを特徴とする請求項７乃至１０に記載のデジタル放送受信方法。
【発明の詳細な説明】
【技術分野】
【０００１】
この発明は、例えばデジタルテレビジョン放送受信装置のようなデジタル放送受信装置に関し、特に複数のチューナで、デジタル放送を同時に受信可能なデジタル放送受信装置に関する。
【背景技術】
【０００２】
特許文献１には、２つのチューナで、デジタル放送を受信可能なデジタル放送受信装置に関し、同一周波数チャンネルに含まれる番組を同時に受信する場合に、２系統のチューナ部の１系統を用い、他方のチューナ部の動作を止める技術が開示されている。
【０００３】
しかしながら、ベースバンド信号を分配して２系統の復調部に供給するので、アナログ信号の性質に左右され、分配された信号は減衰してしまい、必ずしも信号受信を向上させることができるとは言えなかった。
【０００４】
また特許文献２には、２つのチューナで、放送を受信可能なアナログ放送受信装置に関し、同一周波数チャンネルに含まれる番組を同時に受信する場合に、２系統のチューナ部の１系統を用い、他方のチューナ部の動作を止める技術が開示されている。
【０００５】
しかしながら、これもアナログ信号を分配して供給するので、分配された信号は減衰してしまい、必ずしも同一周波数チャンネルに含まれる番組の受信を向上させることができるとは言えなかった。
【特許文献１】特開２００３−１２５３０２号公報
【特許文献２】特開平６−３０３５４１号公報
【発明の開示】
【発明が解決しようとする課題】
【０００６】
そこで、この発明は上記事情を考慮してなされたもので、複数のチューナで、同一周波数チャンネルに含まれる番組を同時に受信する場合に起こるリンギングを防止することを目的としている。また、リンギングを防止しながら、複数の同一周波数チャンネルに含まれる番組の受信を安定的に受信できることを目的としている。
【課題を解決するための手段】
【０００７】
この発明に係るデジタル放送受信装置は、周波数をチューニングすることによってデジタル放送の所定チャンネルを選択して受信する第１および第２のチューナ部と、前記第１のチューナ部で選択されたデジタル放送の所定チャンネルから番組を含む第１のストリーム信号を抽出して出力する第１のストリーム信号抽出部と、前記第２のチューナ部で選択されたデジタル放送の所定チャンネルから番組を含む第２のストリーム信号を抽出して出力する第２のストリーム信号抽出部と、前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、前記第１のストリーム分配信号に含まれる番組の１つをデコードして映像信号を出力する第１のデコード手段と、前記第２のストリーム分配信号に含まれる番組の１つをデコードして映像信号を出力する第２のデコード手段を備えるように構成している。
【０００８】
また、この発明に係るデジタル放送受信方法は、第１および第２のチューナ部を用いて周波数をチューニングすることによってデジタル放送の所定チャンネルを選択して受信するステップと、前記第１のチューナ部で選択されたデジタル放送の所定チャンネルから番組を含む第１のストリーム信号を抽出して出力するステップと、前記第２のチューナ部で選択されたデジタル放送の所定チャンネルから番組を含む第２のストリーム信号を抽出して出力するステップと、前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、前記第１のストリーム分配信号に含まれる番組の１つをデコードして映像信号を出力するステップと、前記第２のストリーム分配信号に含まれる番組の１つをデコードして映像信号を出力するステップを備えるように構成している。
【発明の効果】
【０００９】
上記のように構成することによって、複数のチューナで、同一周波数チャンネルに含まれる番組を同時に受信する場合に起こるリンギングを防止することが可能となるという効果がある。また、リンギングを防止しながら、複数の同一周波数チャンネルに含まれる番組の受信を安定的に受信できることが可能となるという効果がある。
【発明を実施するための最良の形態】
【００１０】
以下、この発明の実施の形態について図面を参照して詳細に説明する。
【００１１】
図１は、この実施の形態で説明するテレビジョン放送受信装置１１の正面側の外観を示す図である。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１２】
そして、上記キャビネット１２には、その正面に、例えば平面型液晶表示パネル等でなる映像表示器（映像表示部）１４の表示画面１４ａが露出されるとともに、一対のスピーカ１５、操作部１６、後述するリモートコントローラ（図１では図示せず）１７から送信される操作情報を受けるための受光部１８等が配置されている。
【００１３】
また、上記スタンド１３は、ほぼ薄型の箱状に形成されており、その一方の平面である底面板１３ａを、水平に設置された所定の基台（図示せず）上に載置するように構成されている。そして、このスタンド１３は、上記基台上に載置される面と反対側の面である上面板１３ｂのほぼ中央部から上方に突出する支持部材１９が、上記キャビネット１２の背面に連結されることにより、キャビネット１２を起立させた状態で支持している。
【００１４】
ここで、上記スタンド１３は、その内部に後述するＨＤＤユニット（図１では図示せず）２０を収容可能となされている。そして、このスタンド１３の上面板１３ｂには、キャビネット１２よりも正面側にせり出している部分に、ＨＤＤユニット２０を記録、再生、停止状態等に制御するための、押圧操作可能な複数（図示の場合は４つ）の操作子２１が配置されている。
【００１５】
図２は、この発明の実施の形態で説明するテレビジョン放送受信装置１１の信号処理系を概略的に示す図である。この信号処理系を構成する各種の回路ブロックは、主として、上記キャビネット１２の内部で背面に近い位置、つまり、上記映像表示器１４の表示画面１４ａの裏側あたりに配置されている。
【００１６】
そして、複数のチューナ部を備え、複数の番組を受信して、例えば図４、図６、図８に示すように２画面の番組表示を行う（後述）。ここでは地上デジタル放送受信用チューナ部を２つ備えている。尚、この発明においては、地上デジタル放送を衛星デジタル放送と読み替えることも可能である。
【００１７】
地上デジタルテレビジョン放送受信用のアンテナ２２で受信したデジタルテレビジョン放送信号は、入力端子２３、２８を介してチューナ部（第１のチューナ部）２４、チューナ部（第２のチューナ部）２９に供給される。地上デジタルテレビジョン放送信号はアナログ信号の性質を備えている。
【００１８】
これらのチューナ部２４、２９は、入力された地上デジタルテレビジョン放送信号からアナログ信号の性質を利用して周波数をチューニングすることによってデジタル放送の所定チャンネルを選択（選局）して出力する。第１のチューナ部２４および第２のチューナ部２９から出力された信号はアナログ信号の性質を備えている。
【００１９】
デジタル放送のチャンネルには、例えば複数のＳＤ放送のように、複数の番組を含んで送信される。そして、第１のストリーム信号抽出部２５は、第１のチューナ部２４で選択され、出力された信号（デジタル放送の所定チャンネル）から複数の番組を含む第１のストリーム信号を抽出して出力する。また、第２のストリーム信号抽出部３０は、第２のチューナ部２９で選択され、出力された信号（デジタル放送のチャンネルから）複数の番組を含む第２のストリーム信号を抽出して出力する。
【００２０】
第１のストリーム信号抽出部２５から出力された複数の番組を含む第１のストリーム信号および第２のストリーム信号抽出部３０から出力された複数の番組を含む第２のストリーム信号はデジタル信号に変換されておりデジタル信号の性質を備えている。
【００２１】
符号２６はスイッチ部（ＳＷ部）である。
【００２２】
上述したように、第１のチューナ部２４および第２のチューナ部２９から出力された信号はアナログ信号の性質を備えており、第１のチューナ部でチューニングされるデジタル放送の所定チャンネルの周波数と前記第２のチューナ部でチューニングされるデジタル放送の所定チャンネルの周波数が同一または近い場合は、波の性質から互いに影響し合い、例えばリンギング等が発生して放送受信に良くない影響を及ぼすことがあり、この発明の実施の形態においては次のように構成して放送受信を向上させる。
【００２３】
第１のチューナ部２４でチューニングされるデジタル放送の周波数と第２のチューナ部２９でチューニングされるデジタル放送の周波数は制御部３５によって制御されている。そして、第１のストリーム信号抽出部２５から出力された第１のストリーム信号および第２のストリーム信号抽出部３０から出力された第２のストリーム信号は、第１のチューナ部でチューニングされるデジタル放送の所定チャンネルの周波数と前記第２のチューナ部でチューニングされるデジタル放送の所定チャンネルの周波数が同一または近い場合（ここで周波数が近い場合とは互いに干渉しあう程度の周波数の範囲）に、制御部３５によってスイッチ部（ＳＷ部）２６が制御され、抽出された第１のストリーム信号を分配して第１のストリーム分配信号および第２のストリーム分配信号を出力する。
【００２４】
第１のストリーム信号抽出部２５から出力された複数の番組を含む第１のストリーム信号および第２のストリーム信号抽出部３０から出力された複数の番組を含む第２のストリーム信号はデジタル信号に変換されておりデジタル信号の性質を備えており、分配してもアナログ信号のような減衰の影響は少ない。
【００２５】
ここでは、第２のチューナ部２９と第２のストリーム信号抽出部３０の動作をOFFさせ、第１のストリーム分配信号がデコード部（第１のデコード部）２７へ、第２のストリーム分配信号がデコード部（第２のデコード部）３１へ供給される。
【００２６】
そして、第１のデコード部２７では第１のストリーム分配信号に含まれる番組の１つ（例えば番組Ａ、番組Ｂが含まれる場合に制御部３５に指示された番組Ａ）に対して、例えばＭＰＥＧ（moving picture experts group）２デコード処理を施して番組Ａに係る映像信号を信号処理部３４へ出力する。
【００２７】
また、第２のデコード部３１では第１のストリーム分配信号に含まれる番組の１つ（例えば番組Ａ、番組Ｂが含まれる場合に制御部３５に指示された番組Ｂ）に対して、例えばＭＰＥＧ２デコード処理を施して番組Ｂに係る映像信号を信号処理部３４へ出力する。
【００２８】
信号処理部３４では第１のデコード部２７から出力された番組Ａに係る映像信号と第２のデコード部３１から出力された番組Ｂに係る映像信号を受信し、２画面を構成して映像信号を出力する。
【００２９】
信号処理部３４から出力された映像信号は例えば図４に示すように、映像表示装置（映像表示器）１４に表示される。また、信号処理部３４から出力された音声信号はスピーカ１５から音声として出力される。
【００３０】
ここで、このテレビジョン放送受信装置１１は、上記した各種の受信動作を含む種々の動作を制御部３５によって統括的に制御されている。図示の通り、上記映像表示器（映像表示部）１４、スピーカ１５、チューナ部（第１のチューナ部）２４、ストリーム信号抽出部（第１のストリーム信号抽出部）２５、スイッチ部（ＳＷ部）２６、デコード部（第１のデコード部）２７、チューナ部（第２のチューナ部）２９、ストリーム信号抽出部（第２のストリーム信号抽出部）３０、デコード部（第２のデコード部）３１、信号処理部３４は制御部３５と接続されている。
【００３１】
この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を、受光部１８を介して受けることにより、その操作内容が反映されるように各部をそれぞれ制御している。
【００３２】
ここでは、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００３３】
ここで、上記制御部３５は、スタンド１３内に収容されたＨＤＤユニット２０と接続されている。この場合、制御部３５からＨＤＤユニット２０に電源電力及び制御信号の供給を行なうライン３７は、接続部３８を介して制御部２６とＨＤＤユニット２０とを接続している。
【００３４】
また、制御部３５とＨＤＤユニット２０との間でデジタル映像及び音声信号を授受するライン３９は、ｉ．Link接続部４０を介して制御部３５とＨＤＤユニット２０とを接続している。すなわち、制御部３５とＨＤＤユニット２０との間でのデジタル映像及び音声信号の伝送は、電源及び制御信号とは別個にｉ．Linkによって行なわれる。
【００３５】
図３は、この発明の実施の形態で説明するストリーム信号を示す図である。ストリーム信号は複数の番組を含むことが可能である。
【００３６】
ここでは図３の上側を上記説明した第１のストリーム信号、図３の下側を第２のストリーム信号とする。図に示すように第１のストリーム信号、第２のストリーム信号にはそれぞれ番組Ａ、番組Ｂが含まれているとする。
【００３７】
図４は、この発明の実施の形態で説明する番組の２画面表示の一例を示す図である。
【００３８】
通常、ユーザはストリーム信号（デジタル放送の所定チャンネルの周波数）を意識することなく、番組を選択する。例えば、図４に示すように、番組Ａと番組Ｂの２画面表示を選択したとする。
【００３９】
このとき、第１のストリーム信号には番組Ａ、番組Ｂが含まれており、番組Ａを受信するために、第１のチューナ部２４によって、第１のストリーム信号すなわち番組Ａ、番組Ｂを含むチャンネルの周波数が選択される。また、第２のストリーム信号には番組Ａ、番組Ｂが含まれており、番組Ｂを受信するために、第２のチューナ部２９によって、第２のストリーム信号すなわち番組Ａ、番組Ｂを含むチャンネルの周波数が選択される。
【００４０】
このとき、第１のチューナ部２４によって選択されるチャンネルの周波数と第２のチューナ部２９によって選択されるチャンネルの周波数は同一となり、上記リンギング等が発生し、放送受信が妨害される可能性がある。そこで、この発明の実施の形態で説明する構成とすることで放送受信妨害を防止することが可能となる。
【００４１】
図５は、この発明の実施の形態で説明するストリーム信号の他の例を示す図である。
【００４２】
ここでは図５の上側を上記説明した第１のストリーム信号、図５の下側を第２のストリーム信号とする。図に示すように第１のストリーム信号、第２のストリーム信号にはそれぞれ番組Ａ、番組Ｂが含まれているとする。
【００４３】
図６は、この発明の実施の形態で説明する番組の２画面表示の一例を示す図である。
【００４４】
通常、ユーザはストリーム信号（デジタル放送の所定チャンネルの周波数）を意識することなく、番組を選択する。ここでは、例えば、図６に示すように、番組Ａと番組Ａの２画面表示を選択したとする。
【００４５】
このとき、第１のストリーム信号には番組Ａ、番組Ｂが含まれており、番組Ａを受信するために、第１のチューナ部２４によって、第１のストリーム信号すなわち番組Ａ、番組Ｂを含むチャンネルの周波数が選択される。また、第２のストリーム信号には番組Ａ、番組Ｂが含まれており、同じく番組Ａを受信するために、第２のチューナ部２９によって、第２のストリーム信号すなわち番組Ａ、番組Ｂを含むチャンネルの周波数が選択される。
【００４６】
このとき、第１のチューナ部２４によって選択されるチャンネルの周波数と第２のチューナ部２９によって選択されるチャンネルの周波数は同一となり、上記と同様に、この発明の実施の形態で説明する構成とすることで放送受信妨害を防止することが可能となる。
【００４７】
図７は、この発明の実施の形態で説明するストリーム信号の他の例を示す図である。
【００４８】
ここでは図７の上側を上記説明した第１のストリーム信号、図７の下側を第２のストリーム信号とする。図に示すように第１のストリーム信号、第２のストリーム信号にはそれぞれ番組Ａ、番組Ｂが含まれているとする。
【００４９】
図８は、この発明の実施の形態で説明する番組の２画面表示の一例を示す図である。
【００５０】
通常、ユーザはストリーム信号（デジタル放送の所定チャンネルの周波数）を意識することなく、番組を選択する。ここでは、例えば、図８に示すように、番組Ｂと番組Ｂの２画面表示を選択したとする。
【００５１】
このとき、第１のストリーム信号には番組Ａ、番組Ｂが含まれており、番組Ｂを受信するために、第１のチューナ部２４によって、第１のストリーム信号すなわち番組Ａ、番組Ｂを含むチャンネルの周波数が選択される。また、第２のストリーム信号には番組Ａ、番組Ｂが含まれており、同じく番組Ｂを受信するために、第２のチューナ部２９によって、第２のストリーム信号すなわち番組Ａ、番組Ｂを含むチャンネルの周波数が選択される。
【００５２】
このとき、第１のチューナ部２４によって選択されるチャンネルの周波数と第２のチューナ部２９によって選択されるチャンネルの周波数は同一となり、上記と同様に、この発明の実施の形態で説明する構成とすることで放送受信妨害を防止することが可能となる。
【００５３】
図９は、この発明の実施の形態に係るテレビジョン放送受信装置の動作を説明するフローチャートである。
【００５４】
符号１０１はここでの開始ステップである。続いて符合１０２を付したステップへ進む。
【００５５】
符号１０２は第１のチューナ部と第２のチューナ部の両者に、同一または近い周波数のチャンネル選局が指示されたか否かを判断するステップである。第１のチューナ部と第２のチューナ部の両者に、同一または近い周波数のチャンネル選局が指示された場合は符号１０３を付したステップへ進む（Ｙｅｓ）。第１のチューナ部と第２のチューナ部の両者に、同一または近い周波数のチャンネル選局が指示されない場合は符号１１０を付したステップへ進む（Ｎｏ）。
【００５６】
符号１０３は第１のチューナ部と第２のチューナ部が同時に、選局動作するか否かを判断するステップである。例えば、第１のストリーム信号、第２のストリーム信号に番組Ａ、番組Ｂが含まれ、図４、図６、図８に示すように、番組Ａと番組Ｂ、番組Ａと番組Ａ、番組Ｂと番組Ｂが選択され、第１のチューナ部と第２のチューナ部が同時に動作するか否かが判断される。
【００５７】
第１のチューナ部と第２のチューナ部が同時に選局動作すると判断される場合は、符合１０４を付したステップへ進む（Ｙｅｓ）。第１のチューナ部と第２のチューナ部が同時に選局動作すると判断されない場合は、ここでの処理が繰り返される（Ｎｏ）。
【００５８】
符号１０４は第１のチューナ部と第１のストリーム信号抽出部を動作させ、第１のストリーム信号（番組Ａ、番組Ｂ）を抽出するステップである。続いて符合１０５を付したステップへ進む。
【００５９】
符号１０５は第２のチューナ部と第２のストリーム信号抽出部の動作をＯＦＦさせるステップである。続いて符合１０６を付したステップへ進む。
【００６０】
符号１０６は第１のストリーム信号（番組Ａ、番組Ｂ）を分配するステップである。制御部３５によってＳＷ部２６が制御され、例えばＳ１→Ｓ３、Ｓ１→Ｓ４のように接続され、第１のストリーム信号（番組Ａ、番組Ｂ）が分配される。続いて符合１０７を付したステップへ進む。
【００６１】
符号１０７は分配された第１のストリーム信号の１つ（第１の分配信号）から番組Ａを、他の１つ（第２の分配信号）から番組Ｂをデコードして映像信号を出力するステップである。続いて符合１０８を付したステップへ進む。
【００６２】
符号１１０は第１のチューナ部と第２のチューナ部を動作させるステップである。続いて符合１１１を付したステップへ進む。
【００６３】
符合１１１は第１のストリーム信号抽出部、第２のストリーム信号抽出部を動作させるステップである。続いて符合１１２を付したステップへ進む。
【００６４】
符合１１２は第１のストリーム信号、第２のストリーム信号を出力するステップである。制御部３５はＳＷ部２６を制御し、Ｓ１→Ｓ３、Ｓ２→Ｓ４のように接続する。続いて符合１１３を付したステップへ進む。
【００６５】
符合１１３は第１のストリーム信号、第２のストリーム信号をそれぞれデコードして映像信号を出力するステップである。続いて符合１０８を付したステップへ進む。
【００６６】
符号１０８は出力された映像信号を映像表示部へ表示するステップである。続いて符合１０９を付したステップへ進む。
【００６７】
符号１０９は終了ステップであり、ここでの処理は終了する。
【００６８】
図１０は、この発明の他の実施の形態に係るテレビジョン放送受信装置の動作を説明するフローチャートである。
【００６９】
符号２０１はここでの開始ステップである。続いて符合２０２を付したステップへ進む。
【００７０】
符号２０２は第１のチューナ部と第２のチューナ部の両者に、同一または近い周波数のチャンネル選局が指示されたか否かを判断するステップである。第１のチューナ部と第２のチューナ部の両者に、同一または近い周波数のチャンネル選局が指示された場合は符号２０３を付したステップへ進む（Ｙｅｓ）。第１のチューナ部と第２のチューナ部の両者に、同一または近い周波数のチャンネル選局が指示されない場合は符号２１０を付したステップへ進む（Ｎｏ）。
【００７１】
符号２０３は第１のチューナ部と第２のチューナ部が同時に、選局動作するか否かを判断するステップである。例えば、第１のストリーム信号、第２のストリーム信号に番組Ａ、番組Ｂが含まれ、図４、図６、図８に示すように、番組Ａと番組Ｂ、番組Ａと番組Ａ、番組Ｂと番組Ｂが選択され、第１のチューナ部と第２のチューナ部が同時に動作するか否かが判断される。
【００７２】
第１のチューナ部と第２のチューナ部が同時に選局動作すると判断される場合は、符合２０４を付したステップへ進む（Ｙｅｓ）。第１のチューナ部と第２のチューナ部が同時に選局動作すると判断されない場合は、ここでの処理が繰り返される（Ｎｏ）。
【００７３】
符号２０４は第２のチューナ部と第２のストリーム信号抽出部を動作させ、第２のストリーム信号（番組Ａ、番組Ｂ）を抽出するステップである。続いて符合２０５を付したステップへ進む。
【００７４】
符号２０５は第１のチューナ部と第１のストリーム信号抽出部の動作をＯＦＦさせるステップである。続いて符合２０６を付したステップへ進む。
【００７５】
符号２０６は第２のストリーム信号（番組Ａ、番組Ｂ）を分配するステップである。制御部３５によってＳＷ部２６が制御され、例えばＳ２→Ｓ３、Ｓ２→Ｓ４のように接続され、第２のストリーム信号（番組Ａ、番組Ｂ）が分配される。続いて符合２０７を付したステップへ進む。
【００７６】
符号２０７は分配された第１のストリーム信号の１つ（第１の分配信号）から番組Ａを、他の１つ（第２の分配信号）から番組Ｂをデコードして映像信号を出力するステップである。続いて符合２０８を付したステップへ進む。
【００７７】
符号２１０は第１のチューナ部と第２のチューナ部を動作させるステップである。続いて符合２１１を付したステップへ進む。
【００７８】
符合２１１は第１のストリーム信号抽出部、第２のストリーム信号抽出部を動作させるステップである。続いて符合２１２を付したステップへ進む。
【００７９】
符合２１２は第１のストリーム信号、第２のストリーム信号を出力するステップである。制御部３５はＳＷ部２６を制御し、Ｓ１→Ｓ３、Ｓ２→Ｓ４のように接続する。続いて符合２１３を付したステップへ進む。
【００８０】
符合２１３は第１のストリーム信号、第２のストリーム信号をそれぞれデコードして映像信号を出力するステップである。続いて符合２０８を付したステップへ進む。
【００８１】
符号２０８は出力された映像信号を映像表示部へ表示するステップである。続いて符合２０９を付したステップへ進む。
【００８２】
符号２０９は終了ステップであり、ここでの処理は終了する。
【００８３】
上述したように、この発明は、第１のチューナ部でチューニングされるチャンネルの周波数と第２のチューナ部でチューニングされるチャンネルの周波数が同一または近い場合に、抽出された第１のストリーム信号（または第２のストリーム信号）を分配して第１のストリーム分配信号および第２のストリーム分配信号を出力するように構成している。
【００８４】
このような構成にすることによって、複数のチューナで、同一周波数チャンネルに含まれる番組を同時に受信する場合に起こるリンギングを防止することが可能となるという効果がある。また、リンギングを防止しながら、複数の同一周波数チャンネルに含まれる番組の受信を安定的に受信できることが可能となるという効果がある。
【００８５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８６】
【図１】この実施の形態で説明するテレビジョン放送受信装置の正面側の外観を示す図。
【図２】この発明の実施の形態で説明するテレビジョン放送受信装置の信号処理系を概略的に示す図。
【図３】この発明の実施の形態で説明するストリーム信号を示す図。
【図４】この発明の実施の形態で説明する番組の２画面表示の一例を示す図。
【図５】この発明の実施の形態で説明するストリーム信号の他の例を示す図。
【図６】この発明の実施の形態で説明する番組の２画面表示の一例を示す図。
【図７】この発明の実施の形態で説明するストリーム信号の他の例を示す図。
【図８】この発明の実施の形態で説明する番組の２画面表示の一例を示す図。
【図９】この発明の実施の形態に係るテレビジョン放送受信装置の動作を説明するフローチャート。
【図１０】この発明の他の実施の形態に係るテレビジョン放送受信装置の動作を説明するフローチャート。
【符号の説明】
【００８７】
１１…テレビジョン放送受信装置、１２…キャビネット、１４…映像表示器（映像表示部）、１５…スピーカ、１６…操作部、１７…リモートコントローラ、１８…受光部、２０…ＨＤＤユニット（記録手段）、２２…アンテナ、２３…入力端子、２４…チューナ部（第１のチューナ部）、２５…ストリーム信号抽出部（第１のストリーム信号抽出部）、２６…スイッチ部（ＳＷ部）、２７…デコード部（第１のデコード部）、２９…チューナ部（第２のチューナ部）、３０…ストリーム信号抽出部（第２のストリーム信号抽出部）、３１…デコード部（第２のデコード部）、３４…信号処理部、３５…制御部、３６…メモリ部、３７…ライン、３８…接続部、３９…ライン、４０…ｉ．Link接続部。
【図１】
2007088976.tif 000003
【図２】
2007088976.tif 000004
【図３】
2007088976.tif 000005
【図４】
2007088976.tif 000006
【図５】
2007088976.tif 000007
【図６】
2007088976.tif 000008
【図７】
2007088976.tif 000009
【図８】
2007088976.tif 000010
【図９】
2007088976.tif 000011
【図１０】
2007088976.tif 000012